(57)【要約】【課題】フィルタに捕捉された塵を低騒音でかつ効率よく除塵できる電気掃除機を提供する。【解決手段】掃除機本体内に、電動送風機と、フィルタ３５と、塵落し装置を設ける。フィルタ３５はフィルタ枠３６及びこの枠に支持されたフィルタ部材３７を備える。このフィルタ３５を環状の装置枠（フィルタ支持部材）３２の内側でかつ電動送風機の上流側に配設する。フィルタ３５の除塵をする塵落し装置は、フィルタ３５を厚み方向に叩打する叩打体４２を有している。弾性変形が可能な材料からなる仕切り部材３８を、装置枠３２とフィルタ枠３６とにわたってこれらの間を塞いで設けて、この仕切り部材３８でフィルタ３５を装置枠３２に支持する。塵落し装置の動作時に仕切り部材３８が弾性変形して、フィルタ３５がその厚み方向へ移動されるようにしたことを特徴としている。【選択図】      図４
2010017347.tif 000002
【特許請求の範囲】
【請求項１】
掃除機本体内に、電動送風機と、フィルタ枠及びこの枠に支持されたフィルタ部材を備えて環状のフィルタ支持部材の内側でかつ前記電動送風機の上流側に配設されるフィルタと、このフィルタを厚み方向に叩打する叩打体を有して前記フィルタの除塵をする塵落し装置が設けられた電気掃除機であって、
前記フィルタ支持部材と前記フィルタ枠とにわたってこれらの間を塞いで設けられかつ弾性変形が可能な材料からなる仕切り部材で、前記フィルタを前記フィルタ支持部材に支持して、前記塵落し装置の動作時に前記仕切り部材が弾性変形して前記フィルタがその厚み方向へ移動されるようにしたことを特徴とする電気掃除機。
【請求項２】
前記電動送風機と前記フィルタとの間に前記塵落し装置を配設し、前記フィルタ枠がそのフィルタ部材の下流側のフィルタ側面に対向する桟を有しており、この桟を前記塵落し装置の動作時に前記叩打体が繰り返し叩打することを特徴とする請求項１に記載の電気掃除機。
【発明の詳細な説明】
【技術分野】
【０００１】
本発明は、ろ過によって塵と空気を分離するフィルタを塵落し装置で叩いて、このフィルタを除塵する電気掃除機に関する。
【背景技術】
【０００２】
従来、電動送風機が内蔵された掃除機本体が、その前部に着脱自在な集塵部を有し、この集塵部にフィルタ部を嵌合して支持するとともに、フィルタ部の下流側に除塵手段を設けた除塵手段で、フィルタ部を前後方向に振動させて、フィルタ部の除塵をする電気掃除機が知られている（例えば、特許文献１参照。）。
【０００３】
この電気掃除機でフィルタ部を前後方向に振動させる除塵手段は、電気的駆動源であるソレノイドコイル部と、移動体であるシャフトと、弾性体であるバネ体で構成されていて、除塵手段に連結された連結体とフィルタ部に連結された連結体とが結合されている。そのため、ソレノイドコイル部への通電に伴うシャフトの前後方向への振動運動が、除塵手段に連結された連結体とフィルタ部に連結された連結体を介してフィルタ部に叩打力として繰り返し伝達されて、このフィルタ部に付着した塵が剥離される。
【特許文献１】特開２００５−５８６４１号公報（段落００１９、００２３、００２６、図１，２，４）
【発明の開示】
【発明が解決しようとする課題】
【０００４】
特許文献１の電気掃除機では、集塵部の後端開口縁部の内周にフィルタ部の外周を嵌合させてフィルタ部が配設されている。これにより、フィルタ部が除塵手段で叩打されるに伴って、フィルタ部を叩く力は、フィルタ部を経由してこれを支持した掃除機本体の集塵部をはじめとして各部に波及する。
【０００５】
このように除塵手段の動作時に掃除機本体に振動が及ぶので、集塵部に対するフィルタ部の嵌合箇所だけではなく、掃除機本体に取付けられている各種部品の取付け部で、除塵時の振動を原因とするびびり音による騒音が発生することがある。したがって、従来の電気掃除機は、低騒音で使用する上では改善の余地がある。これとともに、フィルタ部を叩く力が掃除機本体に波及することは、フィルタ部を叩く力の一部が掃除機本体に無駄に逃げていることと同じであるので、除塵性能がよくない。
【０００６】
本発明の目的は、フィルタに捕捉された塵を低騒音でかつ効率よく除塵できる電気掃除機を提供することにある。
【課題を解決するための手段】
【０００７】
本発明は、掃除機本体内に、電動送風機と、フィルタ枠及びこの枠に支持されたフィルタ部材を備えたフィルタと、フィルタを厚み方向に叩打する叩打体を有した塵落し装置を設け、フィルタを環状のフィルタ支持部材の内側でかつ電動送風機の上流側に配設するとともに、弾性変形が可能な材料からなる仕切り部材を、フィルタ支持部材とフィルタ枠とにわたってこれらの間を塞いで設けて、この仕切り部材でフィルタ支持部材にフィルタを支持し、塵落し装置の動作時に仕切り部材の弾性変形によりフィルタがその厚み方向へ移動されるようにしたことを特徴としている。
【発明の効果】
【０００８】
本発明の電気掃除機によれば、除塵時にフィルタを叩く力が掃除機本体に波及され難いので、フィルタに捕捉された塵を低騒音でかつ効率よく除塵することができる。
【発明を実施するための最良の形態】
【０００９】
以下、図１〜図７を参照して本発明の第１実施形態を説明する。
【００１０】
図１中符号１は例えばキャニスタの電気掃除機を示している。この電気掃除機１は、掃除機本体２と、これに接続された吸込み風路体６を備えている。
【００１１】
掃除機本体２は、それが有した車輪の回転を伴って、吸込み風路体６により加えられる引張り力で被掃除面である室内の床面上を移動可能である。掃除機本体２の後部に電動送風機３が内蔵されている。掃除機本体２はその前部上面をなす蓋４を有している。蓋４は掃除機本体２の後部に図示しないヒンジを介して上下方向に回動可能に取付けられていて、その回動により、図２に示した掃除機本体２の前部に形成された装置セット凹部２ａの上面開口を開閉する。装置セット凹部２ａは電動送風機３の上流側に設けられていて、その後端は図２に示したインデユーサ５で仕切られている。インデユーサ５は装置セット凹部２ａ内の空気を電動送風機３に導くものであって、通気部５ａを有している。
【００１２】
図１に示すように吸込み風路体６は、可撓性を有した吸塵ホース７と、延長管８と、吸込み口体９を備えている。吸塵ホース７の一端部７ａは蓋４に設けられた接続口部４ａ（図２参照）に取外し可能に接続されている。吸塵ホース７の他端部（先端部）７ｂには例えばハンドルからなる握り部１１が設けられていて、この握り部１１を使用者が握持して吸込み風路体６が操作される。握り部１１には電動送風機３のオンーオフを始めとする各種の運転指令を、掃除機本体２に内蔵された図示しない制御装置に与える手元スイッチ１２が取付けられている。
【００１３】
延長管８は、例えば外管８ａとこの外管８ａの内側に摺動可能に嵌合された内管８ｂを有した伸縮式のものである。この延長管８の後端部、つまり、外管８ａの後端部は吸塵ホース７の他端部７ｂに着脱可能に接続されている。吸込み口体９は、その下面に吸込み開口（図示しない）を有しているとともに、後部に接続管９ａを有している。接続管９ａは延長管８の先端部、つまり、内管８ｂの先端部に着脱可能に接続されている。
【００１４】
電動送風機３の上流側に設けられた装置セット凹部２ａに図２〜図４に示す塵分離装置１５が配設されている。塵分離装置１５は、装置セット凹部２ａに着脱可能な分離装置本体１６と、この分離装置本体１６に着脱可能な集塵部として例えば集塵ケース１７と、分離装置本体１６に組み込まれたフィルタ装置３１を備えている。
【００１５】
分離装置本体１６の前部は本体部２１をなし、分離装置本体１６の後部はフィルタ収容部２５をなしている。本体部２１は、電動送風機３の吸込み力により慣性分離例えばサイクロン式の塵分離を行う部位であって、図４に示すように気流入り口２２と、塵出口２３と、開口２４と、連通口（図示しない）を有している。気流入り口２２は蓋４が閉じられた状態で接続口部４ａに連通される。この気流入り口２２から本体部２１に吸込まれた含塵空気は、本体部２１内で塵分離作用を受け、塵から分離された空気は図示されない前記連通口を通ってフィルタ収容部２５内に吸込まれる。この一方で、空気から分離された塵と一部の空気は、塵出口２３を通って本体部２１外に流出される。
【００１６】
集塵ケース１７は、本体部２１に上方から被さるケース上部１７ａと、この一端部に下向きに折れ曲がっていて本体部２１に側方から被さるケース側部１７ｂを備えている。ケース上部１７ａの下面には図示しないが塵受け口が設けられており、ケース側部１７ｂの側面には図示しないが網目フィルタが装着された空気出口が設けられている。集塵ケース１７が本体部２１に取付け保持された状態で、塵受け口は本体部２１の塵出口２３に接続され、空気出口は本体部２１の開口２４に接続される。
【００１７】
これにより、集塵ケース１７を介して本体部２１の塵出口２３と開口２４が連通されるので、既述のように塵出口２３を通った塵と一部の空気が集塵ケース１７を流通して本体部２１に吸込まれる。その際、塵は網目フィルタにより集塵ケースのケース側部１７ｂに溜められる。この一方で、網目フィルタを通って本体部２１内に吸込まれた空気は、この本体部２１の図示されない前記連通口を通ってフィルタ収容部２５内に吸い込まれる。
【００１８】
集塵ケース１７のケース側部１７ｂは集塵ケース蓋１７ｃを有していて、この集塵ケース蓋１７ｃを開くことにより、ケース側部１７ｂ内に溜められた塵を捨てることができる。なお、図３中符号１８は、集塵ケース蓋１７ｃを閉じた状態に保持するための蓋クランプを示している。
【００１９】
図３に示すようにフィルタ収容部２５は、その後面開口を囲む管状のパッキング２６を有している。パッキング２６は軟質ゴムからなる。塵分離装置１５が装置セット凹部２ａにセットされた状態で、フィルタ収容部２５の後端をなしたパッキング２６は、インデユーサ５の周部前面に、これとの間に気密を保持して接するようになっている。
【００２０】
フィルタ収容部２５に組み込まれた本実施形態のフィルタ装置３１は、環状のフィルタ支持部材例えば装置枠３２と、フィルタ３５と、仕切り部材３８とを具備している。
【００２１】
図４示すように装置枠３２は、上流側枠部材３２Ａと下流側枠部材３２Ｂを、これらが図６に示すように前後に合わせた状態となるようにねじ止めにより連結して形成されている。ここに上流側及び下流側は、フィルタ収容部２５を通過する気流を基準としており、フィルタ装置３１の前側が上流側でフィルタ装置３１の後側が下流側である。図４に示すように上流側枠部材３２Ａ及び下流側枠部材３２Ｂは、同形状であとともにフィルタ収容部２５の形状に見合った形状に作られていて、いずれも例えば四角い窓孔３３を有している。これらの窓孔３３の大きさは、後述するフィルタ３５より大きい。装置枠３２はフィルタ収容部２５の内側に固定されていて、その下流側枠部材３２Ｂの周部後面は本実施形態の場合図３に示すようにパッキング２６で覆われている。
【００２２】
図５に示すようにフィルタ３５は、フィルタ枠３６及びこのフィルタ枠３６に支持されたフィルタ部材３７を備えている。フィルタ部材３７にはプリーツフィルタを好適に用いることができる。このフィルタ部材３７の襞は、互いに平行であり、フィルタ部材３７を通過する空気の流れ方向と直交して例えば上下方向に延びている。
【００２３】
フィルタ枠３６は、その襞が延びる方向の両端に夫々複数の閉鎖凸部３６ａ（上端の閉鎖凸部３６ａのみ図５及び図７に示す。）を有していて、これら閉鎖凸部３６ａは、フィルタ部材３７の下流側において隣接した襞間に形成された下流側フィルタ溝の両端（図５では上端及び下端）を塞いでいる。図３及び図５に示すようにフィルタ枠３６は、フィルタ部材３７の下流側のフィルタ側面に対向する複数の桟３６ｂを有している。これらの桟３６ｂは、例えば縦格子状、つまり、上下方向に延びていて互いに平行に設けられている。
【００２４】
フィルタ３５は、フィルタ支持部材である装置枠３２の内側に配設されていて、仕切り部材３８を介して装置枠３２に支持されている。仕切り部材３８は、ゴムやエラストマ等のような弾性変形が可能な薄いシート材を材料として形成されていて、孔３８ａを有している。この孔３８ａは上流側枠部材３２Ａ及び下流側枠部材３２Ｂの窓孔３３より小さい。なお、仕切り部材３８は、その断面が平らであることには制約されず、断面が蛇腹状をなしていても良く、仕切り部材３８の厚み方向への弾性変形ができて、設計上求められる弾性変形を得ることができれば、仕切り部材３８は任意の断面にして形成することが可能である。
【００２５】
図７に示すように仕切り部材３８の外周部は、装置枠３２に固定され、具体的には上流側枠部材３２Ａ及び下流側枠部材３２Ｂ間に挟着されているとともに、仕切り部材３８の内周部は、フィルタ３５の外周部に固定され、具体的にはフィルタ枠３６に接着材を用いて或いは溶着により固定されている。それにより、仕切り部材３８は、装置枠３２とフィルタ枠３６とにわたりこれら両枠間を塞いで設けられていて、フィルタ３５を装置枠３２に支持している。既述のように仕切り部材３８は、弾性変形が可能な材料からなるので、次に説明する塵落し装置４１の動作時に弾性変形してフィルタ３５がその厚み方向に繰り返し移動する(振動する)ことを許容する。
【００２６】
フィルタ装置３１の後側（下流側）、より具体的には電動送風機３とフィルタ３５との間に塵落し装置４１が配設されている。この塵落し装置４１はインデユーサ５に取付けられて、図５及び図６（Ａ）（Ｂ）に示されるように叩打体４２と、ばね４３と、駆動部４４を備えている。
【００２７】
叩打体４２は複数たとえば３個用意されている。これらの叩打体４２の一端部（上端部）は、インデユーサ５に固定された共通の軸４５に夫々回転自在に支持されるとともにフィルタ枠３６の下流側面（後面）に近接して対向されている。それにより、各叩打体４２は、それらが前側に回動されたときに、その他端部（下端部）が、フィルタ３５に衝突する、具体的にはフィルタ枠３６に衝突する、より好ましくはフィルタ枠３６が有した桟３６ｂの長手方向中央部に衝突するように配置されている。各叩打体４２の下端部は、フィルタ枠３６の桟３６ｂに対する衝突力を強くするために、錘４２ａが埋め込まれている。各叩打体４２は、その一端側の上部にカム従節面４２ｂ及びこの終端に連続した終端凸部４２ｃを有している。
【００２８】
ばね４３は、叩打体４２毎に用意されていて、固定部材例えばインデユーサ５と叩打体４２の下端部後面との間に挟まれている。このばね４３によって叩打体４２は、その下端部がフィルタ枠３６の桟３６ｂに接触するように付勢されている。
【００２９】
駆動部４４は、共通の回転軸４４ａと、叩打体４２毎に用意されて回転軸４４ａに固定された複数のカム４４ｂと、回転軸４４ａを回転させるモータ４４ｃを備えている。カム４４ｂは、カム従節面４２ｂに接しながら図６（Ａ）（Ｂ）において時計回りに回転されることにより、図６（Ａ）に示すように叩打体４２をフィルタ枠３６の桟３６ｂから離れさせるとともにばね４３を圧縮させる方向に回転させる。そして、図６（Ｂ）に示すようにカム４４ｂが終端凸部４２ｃを通過してカム従節面４２ｂから外れるに伴い、ばね４３に蓄えられた力で叩打体４２が桟３６ｂに衝突されることで、フィルタ装置３１がその厚み方向に叩打されて、フィルタ装置３１が除塵されるようになっている。
【００３０】
回転軸４４ａの軸方向に間隔的に配設されて叩打体４２毎に用意された例えば３個のカム４４ｂは、回転軸４４ａの周方向に互いに位置をずらせて回転軸４４ａに固定されている。そのため、各叩打体４２は、同時に桟３６ｂに衝突されることはなく、互いに時間差をもって桟３６ｂを叩打し、こうした叩打が回転軸４４ａの回転によって繰り返される。なお、１個の叩打体４２に対して用意されるカム４４ｂは、１個ではなく、複数例えば２個のカム４４ｂを回転軸４４ａの周方向に互いに位置をずらせて設けて、回転軸４４ａの一回転当たりの叩打数を複数回確保することもできる。
【００３１】
前記構成の電気掃除機１の使用時に、既述のように塵分離装置１５で塵から分離されてフィルタ収容部２５に流入した空気は、このフィルタ収容部２５に収容されたフィルタ装置３１のフィルタ部材３７でろ過されてから電動送風機３に吸込まれる。こうした空気のろ過により、フィルタ部材３７には微細塵が捕捉される。なお、電動送風機３から排出される空気は掃除機本体２の後部に設けられた図示しない排気部を通って掃除機本体２外に排出される。
【００３２】
フィルタ部材３７の目詰まりを解消する塵落しは、予め定められた時間毎、若しくは塵落し装置４１に対する動作開始指令が使用者により任意に与えられる度に、電動送風機３の運転停止状態で塵落し装置４１が駆動されることにより、実行される。
【００３３】
即ち、駆動部４４のモータ４４ｃが運転されて、３個のカム４４ｂが固定された回転軸４４ａが図６中時計回りに回転するに伴い、既述のようにカム４４ｂが叩打体４２の終端凸部４２ｃから外れる度に、ばね４３の付勢力により叩打体４２がフィルタ３５にその裏面側から衝突する。
【００３４】
この場合、叩打体４２はフィルタ３５のフィルタ枠３６に衝突、より具体的にはフィルタ枠３６の桟３６ｂに衝突する。そのため、叩打体４２がフィルタ部材３７に衝突するとともにこのフィルタ部材３７を変形させて、衝撃が減衰されることがなく、叩打体４２の叩打による衝撃をフィルタ３５全体に有効に波及させることができる。
【００３５】
この衝撃により、フィルタ３５は、これを支持している弾性材料製の仕切り部材３８の弾性変形を伴って前方向(上流側)に移動される。この場合、本実施形態は、前方向に移動されたフィルタ３５が、図２及び図４に示すフィルタ収容部２５の前壁（上流側壁部）２５ａに衝突されるように構成されている。したがって、この衝突に伴う衝撃でもフィルタ部材３７の除塵ができる点で、より好ましい。
【００３６】
この直後に、仕切り部材３８の弾性力でフィルタ３５は後方(下流側)に引き戻されるように移動される。この場合、既述のように複数の叩打体４２が時間差を持ってフィルタ枠３６を叩くから、いずれかの叩打体４２が、後方に移動されるフィルタ３５を前に向けて叩く。そして、モータ４４ｃにより回転軸４４ａが回転されている間、以上のような各叩打体４２の叩打による衝撃と、それに伴うフィルタ収容部２５の前壁２５ａへのフィルタ３５の衝突による衝撃とが、繰り返しフィルタ３５に与えられる。
【００３７】
それにより、フィルタ部材３７の除塵が行われる。つまり、フィルタ部材３７に捕捉されている微細塵が、フィルタ部材３７から剥がれ落ちて、フィルタ部材３７の目詰まりが解消される。
【００３８】
こうした除塵の際、フィルタ３５はその厚み方向に繰り返し往復移動（振動）されるが、このフィルタ３５は、既述のように弾性変形ができる仕切り部材３８を介してフィルタ装置３１の装置枠３２に支持されているので、仕切り部材３８の弾性変形によってフィルタ３５の振動が装置枠３２に伝わり難くできる。これに伴い、フィルタ装置３１を支持した塵分離装置１５、及びこの塵分離装置１５が内蔵された掃除機本体２に、フィルタ３５の振動が波及されることが抑制される。そのため、除塵時のフィルタ３５の振動を原因とする掃除機本体２の各部でのびびり音の発生が抑制されて、低騒音でフィルタ３５を除塵できる。
【００３９】
しかも、既述のように叩打体４２の叩打力がフィルタ３５の周囲部品に波及しないことに伴い、叩打力がフィルタ３５に集中して与えられる。これとともに、仕切り部材３８の弾性復帰力で戻り方向（下流側方向）に勢いが付けられた状態のフィルタ３５を叩打体４２で前方(上流側)に叩打できるので、より大きな衝撃力がフィルタ３５に与えられる。したがって、効率よくフィルタ３５を除塵することができる。
【００４０】
そのため、軽い力でフィルタ３５のフィルタ枠３６を叩打しても、除塵するのに必要十分な衝撃をフィルタ部材３７に与えることが可能である。これにより、塵落し装置４１の駆動部であるモータ４４ｃに低トルクのモータを使用可能であり、こうした低トルクのモータ４４ｃを使用した場合には、コストの低減が可能であるとともにモータ４４ｃの設置スペースが小さくて済むだけではなく、モータ４４ｃの駆動音が低減されるに伴い、更に、低騒音でフィルタ３５を除塵することが可能となる。
【００４１】
図８〜図１０により本発明の夫々異なる他の実施形態を説明する。これらの実施形態の説明において、第１実施形態と同じ構成には、第１実施形態の該当構成と同一符号を付してその説明を省略し、第１実施形態とは異なる事項について以下説明する。
【００４２】
図８に示した本発明の第２実施形態では、フィルタ装置３１が備えたフィルタ３５のフィルタ枠３６と弾性変形ができる仕切り部材３８とが一体に成形されている。この成形は、１組の型締め装置に対して２組の射出成形装置を備える二色射出成型機を用いて、フィルタ枠３６の成形材料と、仕切り部材３８をなす成形材料を順次又は同時に射出して行われる。この点以外の構成は、図８に示されない構成を含めて第１実施形態と同じである。
【００４３】
したがって、第１実施形態で既に説明した理由によって、第２実施形態においても、本発明の課題、即ち、フィルタ３５のフィルタ部材３７に捕捉された塵を低騒音でかつ効率よく除塵することができる。しかも、フィルタ枠３６と仕切り部材３８とが二色射出成形により一体成形されているので、これらを結合する手間を要しないとともに、フィルタ枠３６と仕切り部材３８との結合部での気密不良の恐れも生じ難い点で好ましい。
【００４４】
本発明の第３実施形態は、図９（Ａ）に示した第１の態様と、図９（Ｂ）示した第２の態様を含んでいる。これら第１、第２の態様では、フィルタ装置３１が備えたフィルタ３５のフィルタ枠３６が、上流側枠材３６ｃと下流側枠材３６ｄとをねじ止め等により連結して形成されている。上流側枠材３６ｃにフィルタ部材３７が取付けられ、下流側枠材３６ｄに複数の桟３６ｂが一体に形成されている。
【００４５】
そして、図９(Ａ)の態様では、弾性変形ができる仕切り部材３８が、フィルタ支持部材としての装置枠３２が有した一方の部材例えば上流側枠部材３２Ａに、二色射出成形により一体に成形されている。図９(Ｂ) の態様では、弾性変形ができる仕切り部材３８が、フィルタ支持部材としての装置枠３２が有した他方の部材例えば下流側枠部材３２Ｂに、二色射出成形により一体に成形されている。
【００４６】
このように装置枠３２に一体成形された仕切り部材３８の内周部は、フィルタ枠３６をなす上流側枠材３６ｃと下流側枠材３６ｄとの間に挟まれて、フィルタ枠３６に連結されている。なお、仕切り部材３８の内周部は好ましい例として上流側枠部材３２Ａと下流側枠部材３２Ｂとの間に挟まれている。これらの点以外の構成は、図９（Ａ）（Ｂ）に示されない構成を含めて第１実施形態と同じである。
【００４７】
したがって、第１実施形態で既に説明した理由によって、第３実施形態においても、本発明の課題、即ち、フィルタ３５のフィルタ部材３７に捕捉された塵を低騒音でかつ効率よく除塵することができる。しかも、仕切り部材３８が装置枠３２の上流側枠部材３２Ａ又は下流側枠部材３２Ｂに二色射出成形により一体成形されているので、これらを結合する手間を要しない点で好ましい。
【００４８】
本発明の第４実施形態は、図１０（Ａ）に示した第１の態様と、図１０（Ｂ）示した第２の態様を含んでいる。これら第１、第２の態様では、フィルタ装置３１が備えたフィルタ３５のフィルタ枠３６が、上流側枠材３６ｅと下流側枠材３６ｆとにより形成されている。上流側枠材３６ｅにフィルタ部材３７が取付けられ、下流側枠材３６ｆに複数の桟３６ｂが一体に形成されている。上流側枠材３６ｅと下流側枠材３６ｆとは嵌合して組立てられており、第４実施形態の場合、下流側枠材３６ｆに対してその前側（上流側）から上流側枠材３６ｅの後部(下流側部位)を嵌入して組立てられている。この組立てにおいて、上流側枠材３６ｅと下流側枠材３６ｆとは、圧入状態に嵌合するだけでも良いが、除塵時の叩打力でフィルタ枠３６が分解に至らないようにするために、接着剤やねじ等を用いて連結することが好ましい。
【００４９】
そして、図１０(Ａ)の態様では、弾性変形ができる仕切り部材３８が、フィルタ支持部材としての装置枠３２が有した一方の部材例えば下流側枠部材３２Ｂと、フィルタ枠の上流側枠材３６ｅと下流側枠材３６ｆと内の一方例えば下流側枠材３６ｆとが、二色射出成形により一体に成形されている。図１０(Ｂ) の態様では、弾性変形ができる仕切り部材３８が、フィルタ支持部材としての装置枠３２が有した他方の部材例えば上流側枠部材３２Ａと、フィルタ枠３６の上流側枠材３６ｅと下流側枠材３６ｆと内の一方例えば下流側枠材３６ｆとが、二色射出成形により一体に成形されている。
【００５０】
仕切り部材３８の外周部は、好ましい例として上流側枠部材３２Ａと下流側枠部材３２Ｂとの間に挟まれている。これらの点以外の構成は、図１０（Ａ）（Ｂ）に示されない構成を含めて第１実施形態と同じである。
【００５１】
したがって、第１実施形態で既に説明した理由によって、第４実施形態においても、本発明の課題、即ち、フィルタ３５のフィルタ部材３７に捕捉された塵を低騒音でかつ効率よく除塵することができる。しかも、仕切り部材３８が、装置枠３２の上流側枠部材３２Ａ又は下流側枠部材３２Ｂとフィルタ枠３６の例えば下流側枠材３６ｆに、二色射出成形により一体成形されているので、これらを結合する手間を要しないとともに、フィルタ装置３１を組立てる上での部品点数と手間を削減できる点で好ましい。
【００５２】
前記各実施形態は、掃除機本体２にフィルタ装置３１を着脱可能にした関係で、上流側枠部材３２Ａとこれに連結された下流側枠部材３２Ｂとからなる装置枠３２をフィルタ支持部材としたが、掃除機本体２にフィルタ３５を直接支持する構成を採用する場合には、掃除機本体２の内周に環状をなすリブ等で形成されるフィルタ支持部を設けて、これにフィルタ３５が有した仕切り部材３８の外周部を固定することで実施できる。
【００５３】
又、前記各実施形態では、より好ましい例としてフィルタ３５をその厚み方向に時間差をもって叩く叩打体４２を用いたが、複数の叩打体４２は時間差がなく回転されて同時にフィルタ枠３６の例えば桟３６ｂをフィルタ３５の厚み方向に叩くものであってもよく、或いは、叩打体４２は複数ではなく単一であってもよい。
【００５４】
更に、塵落し装置４１を前記第１実施形態のようにフィルタ３５の下流側に配設することは、塵落し装置４１に塵が付着し難い点で好ましいが、塵落し装置４１はフィルタ３５の上流側からフィルタ枠３６を叩くように設けて実施することができる。これとともに、フィルタ３５のフィルタ部材３７には、プリーツフィルタ以外のろ過式のフィルタを用いることが可能である。
【図面の簡単な説明】
【００５５】
【図１】本発明の第１実施形態に係る電気掃除機を示す斜視図。
【図２】図1の電気掃除機の掃除機本体に塵分離装置が出し入れされる状況を示す斜視図。
【図３】図1の電気掃除機の塵分離装置を後方から見て示す斜視図。
【図４】図１の電気掃除機の塵分離装置を分解して示す斜視図。
【図５】図３の塵分離装置が備えるフィルタとこれに対向配置される複数の叩打体とを後方から見て示す斜視図。
【図６】（Ａ）（Ｂ）は図１の電気掃除機が備える除塵装置を夫々異なる状態で概略的に示す断面図。
【図７】図３の塵分離装置が備えるフィルタ装置の一部を拡大して示す断面図。
【図８】本発明の第２実施形態に係る電気掃除機を示す図７相当の断面図。
【図９】（Ａ）（Ｂ）は本発明の第３実施形態に係る電気掃除機の夫々異なる態様を示す図７相当の断面図。
【図１０】（Ａ）（Ｂ）は本発明の第４実施形態に係る電気掃除機の夫々異なる態様を示す図７相当の断面図。
【符号の説明】
【００５６】
１…電気掃除機、２…掃除機本体、３…電動送風機、３１…フィルタ装置、３２…装置枠（フィルタ支持部材）、３２Ａ…装置枠の上流側枠部材、３２Ｂ…装置枠の下流側枠部材、３３…窓孔、３５…フィルタ、３６…フィルタ枠、３６ｂ…フィルタ枠の桟、３７…フィルタ部材、３８…仕切り部材、４１…塵落し装置、４２…叩打体、４３…ばね、４４…駆動部
【図１】
2010017347.tif 000003
【図２】
2010017347.tif 000004
【図３】
2010017347.tif 000005
【図４】
2010017347.tif 000006
【図５】
2010017347.tif 000007
【図６】
2010017347.tif 000008
【図７】
2010017347.tif 000009
【図８】
2010017347.tif 000010
【図９】
2010017347.tif 000011
【図１０】
2010017347.tif 000012